(57)【特許請求の範囲】
【請求項１】
マーク長記録を用いて１つ以上のセグメントから構成された記録マークが列状に記録された光記録媒体に光を照射し、その反射光に基づいて前記記録マークを再生する情報再生装置であって、
４分割光検出器の４つの光検出部によって前記反射光からそれぞれ光の強弱に応じた検出信号を検出する４分割検出手段と、
該４分割検出手段によって検出された４つの検出信号を加算した和信号を検出する和信号検出手段と、
該和信号検出手段によって検出された和信号に基づいて前記記録マークの長さを検出する記録マーク長検出手段と、
前記４つの光検出部の内の前記記録マークの列方向に対して一方に存在する２つの光検出部によって検出した各検出信号の加算信号ともう一方に存在する２つの光検出部によって検出した各検出信号の加算信号との減算信号を検出する減算信号検出手段と、
該減算信号検出手段によって検出した減算信号に設けた複数のサンプリング点でそれぞれ極性及び振幅値を検出する極性・振幅値検出手段と、
前記極性・振幅値検出手段によって検出した各サンプリング点での極性及び振幅値に基づいて前記記録マーク内のセグメント構成を判別するセグメント構成判別手段とを備えたことを特徴とする情報再生装置。
【請求項２】
マーク長記録を用いて１つ以上のセグメントから構成された記録マークが列状に記録された光記録媒体に光を照射し、その反射光に基づいて前記記録マークを再生する情報再生装置であって、
４分割光検出器の４つの光検出部によって前記反射光からそれぞれ光の強弱に応じた検出信号を検出する４分割検出手段と、
該４分割検出手段によって検出された４つの検出信号を加算した和信号を検出する和信号検出手段と、
該和信号検出手段によって検出された和信号に基づいて前記記録マークの長さを検出する記録マーク長検出手段と、
前記４つの光検出部の内の前記記録マークの列方向に対して一方に存在する２つの光検出部によって検出した各検出信号の加算信号ともう一方に存在する２つの光検出部によって検出した各検出信号の加算信号との減算信号を、前記和信号検出手段によって検出した和信号のｘ乗（但しｘ≧１）で除算した除算信号を検出する除算信号検出手段と、
該除算信号検出手段によって検出した除算信号に設けた複数のサンプリング点でそれぞれ極性及び振幅値を検出する極性・振幅値検出手段と、
前記極性・振幅値検出手段によって検出した各サンプリング点での極性及び振幅値に基づいて前記記録マーク内のセグメント構成を判別するセグメント構成判別手段とを備えたことを特徴とする情報再生装置。
【請求項３】
マーク長記録を用いて１つ以上のセグメントから構成された記録マークが列状に記録された光記録媒体に光を照射し、その反射光に基づいて前記記録マークを再生する情報再生装置であって、
４分割光検出器の４つの光検出部によって前記反射光からそれぞれ光の強弱に応じた検出信号を検出する４分割検出手段と、
該４分割検出手段によって検出された４つの検出信号を加算した和信号を検出する和信号検出手段と、
該和信号検出手段によって検出された和信号に基づいて前記記録マークの長さを検出する記録マーク長検出手段と、
前記４つの光検出部の内の前記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を検出するＡＣ結合信号検出手段と、
該ＡＣ結合信号検出手段によって検出したＡＣ結合信号に設けた複数のサンプリング点でそれぞれ極性及び振幅値を検出する極性・振幅値検出手段と、
前記極性・振幅値検出手段によって検出した各サンプリング点での極性及び振幅値に基づいて前記記録マーク内のセグメント構成を判別するセグメント構成判別手段とを備えたことを特徴とする情報再生装置。
【請求項４】
マーク長記録を用いて１つ以上のセグメントから構成された記録マークが列状に記録された光記録媒体に光を照射し、その反射光に基づいて前記記録マークを再生する情報再生装置であって、
４分割光検出器の４つの光検出部によって前記反射光からそれぞれ光の強弱に応じた検出信号を検出する４分割検出手段と、
該４分割検出手段によって検出された４つの検出信号を加算した和信号を検出する和信号検出手段と、
該和信号検出手段によって検出された和信号に基づいて前記記録マークの長さを検出する記録マーク長検出手段と、
前記４つの光検出部の内の前記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を前記和信号検出手段によって検出した和信号のｘ乗（但しｘ≧１）で除算した除算信号を検出する除算信号検出手段と、
該除算信号検出手段によって検出した除算信号に設けた複数のサンプリング点でそれぞれ極性及び振幅値を検出する極性・振幅値検出手段と、
前記極性・振幅値検出手段によって検出した各サンプリング点での極性及び振幅値に基づいて前記記録マーク内のセグメント構成を判別するセグメント構成判別手段とを備えたことを特徴とする情報再生装置。
【請求項５】
請求項１乃至４のいずれか一項に記載の情報再生装置において、前記セグメント構成判別手段によるセグメント構成の判別を、前記マーク長検出手段による記録マークの長さの検出後に行うようにしたことを特徴とする情報再生装置。
【発明の詳細な説明】
【０００１】
【発明の属する技術分野】
この発明は、ＣＤ−Ｒ／ＲＷ，ＤＶＤ等の光記録媒体に高密度化記録された情報を再生するＣＤ−Ｒ／ＲＷドライブ，ＤＶＤドライブ等の情報再生装置に関する。
【０００２】
【従来の技術】
情報再生装置において、光記録媒体に照射する光スポットの径は、照射されるレーザ光の波長λに比例し、また対物レンズの開口数ＮＡに反比例するため、光記録媒体の情報の記録密度を高密度化するための設計として、波長λを小さくしたり、開口数ＮＡを大きくしたりすることが一般的に行われている。
しかし、レーザ光の波長λを小さくしたり、対物レンズの開口数ＮＡを大きくしたりすることは、情報再生装置の半導体レーザ光源や対物レンズの設計から限界がある。
【０００３】
そこで従来、光記録媒体への記録密度を向上させる方法として次のような記録マークを多値化させる多値データ記録方法が提案されている。
（１）記録マークの面積を変えて情報を記録し、一定サイズの記録要素に多ビットの記録を行う多値データ記録方法（例えば、特開昭６３−３０２４２６号公報参照）。
（２）ピットの深さを複数段階に設定して多値データを記録する多値データ記録方法（例えば、特開昭５８−２１５７３５号公報参照）。この多値データ記録方法では、ピットの深さに対応して再生ＲＦ信号レベルが変化する。
【０００４】
また、上記のような多値データ記録方法に関するデータ再生方法の技術として、再生ＲＦ信号レベルと再生プッシュプル信号（ラジアルプッシュプル信号）レベルとを用いて多値データを再生する多値データ再生方法（例えば、特開平５−２０５２７６号公報参照）が提案されている。
この多値データ再生方法では、データ再生時には再生プッシュプル信号がほとんどゼロであるため、光ディスク（光記録媒体）に２つの読み取りスポットを照射し、プッシュプル信号を得るためのスポットをトラックセンタからずらしてＲＦ信号とプッシュプル信号とが得られるようにしている。
【０００５】
さらに、次のような記録マークを多値化させる多値データ記録方法も提案されている。
（３）光記録媒体上のピットエッジ位置を多段階に変調してデジタルデータを多値記録する多値データ記録方法（例えば、特開２０００−２１５４５８号公報及び特開２０００−２１５４６２号公報参照）。
（４）データピットがトラック中心からトラックと直交する方向に偏位され、そのピットのトラック中心からの偏位量によって多値記録する多値データ記録方法（例えば、特開平８−２３５５９３号公報参照）。
また、上記のような多値データ記録方法に関するデータ再生方法の技術として、予め定められた格子点上に記録マークの大きさを変化させて記録し、少なくとも２つ以上の光スポットを用いてその情報マークによる光学的変化を検出し、情報を再生する多値データ再生方法（例えば、特開平８−１２４１６７号公報参照）が提案されている。
【０００６】
【発明が解決しようとする課題】
しかしながら、上述したような従来の多値データ記録方法によって記録された光記録媒体は、現在存在するＣＤ系光ディスクやＤＶＤ系光ディスク等の光記録媒体との再生互換性がないので、従来の情報再生装置では再生できないという問題があった。
この発明は上記の課題を解決するためになされたものであり、従来から使用されているＣＤ系光ディスクやＤＶＤ系光ディスク等の光記録媒体と１つの記録マークに多値情報を与えることによって高密度化が図れる新規な光記録媒体の双方の情報を再生できるようにすることを目的とする。
【０００７】
【課題を解決するための手段】
この発明は上記の目的を達成するため、次の（１）〜（４）の各情報再生装置を提供するものである。
【０００８】
【０００９】
（１）  マーク長記録を用いて１つ以上のセグメントから構成された記録マークが列状に記録された光記録媒体に光を照射し、その反射光に基づいて上記記録マークを再生する情報再生装置であって、４分割光検出器の４つの光検出部によって上記反射光からそれぞれ光の強弱に応じた検出信号を検出する４分割検出手段と、その４分割検出手段によって検出された４つの検出信号を加算した和信号を検出する和信号検出手段と、その和信号検出手段によって検出された和信号に基づいて上記記録マークの長さを検出する記録マーク長検出手段と、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を検出する減算信号検出手段と、その減算信号検出手段によって検出した減算信号に設けた複数のサンプリング点でそれぞれ極性及び振幅値を検出する極性・振幅値検出手段と、上記極性・振幅値検出手段によって検出した各サンプリング点での極性及び振幅値に基づいて上記記録マーク内のセグメント構成を判別するセグメント構成判別手段を備えた情報再生装置。
【００１０】
（２）  マーク長記録を用いて１つ以上のセグメントから構成された記録マークが列状に記録された光記録媒体に光を照射し、その反射光に基づいて上記記録マークを再生する情報再生装置であって、４分割光検出器の４つの光検出部によって上記反射光からそれぞれ光の強弱に応じた検出信号を検出する４分割検出手段と、その４分割検出手段によって検出された４つの検出信号を加算した和信号を検出する和信号検出手段と、その和信号検出手段によって検出された和信号に基づいて上記記録マークの長さを検出する記録マーク長検出手段と、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を、上記和信号検出手段によって検出した和信号のｘ乗（但しｘ≧１）で除算した除算信号を検出する除算信号検出手段と、その除算信号検出手段によって検出した除算信号に設けた複数のサンプリング点でそれぞれ極性及び振幅値を検出する極性・振幅値検出手段と、上記極性・振幅値検出手段によって検出した各サンプリング点での極性及び振幅値に基づいて上記記録マーク内のセグメント構成を判別するセグメント構成判別手段を備えた情報再生装置。
【００１１】
【００１２】
【００１３】
（３）  マーク長記録を用いて１つ以上のセグメントから構成された記録マークが列状に記録された光記録媒体に光を照射し、その反射光に基づいて上記記録マークを再生する情報再生装置であって、４分割光検出器の４つの光検出部によって上記反射光からそれぞれ光の強弱に応じた検出信号を検出する４分割検出手段と、その４分割検出手段によって検出された４つの検出信号を加算した和信号を検出する和信号検出手段と、その和信号検出手段によって検出された和信号に基づいて上記記録マークの長さを検出する記録マーク長検出手段と、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を検出するＡＣ結合信号検出手段と、そのＡＣ結合信号検出手段によって検出したＡＣ結合信号に設けた複数のサンプリング点でそれぞれ極性及び振幅値を検出する極性・振幅値検出手段と、上記極性・振幅値検出手段によって検出した各サンプリング点での極性及び振幅値に基づいて上記記録マーク内のセグメント構成を判別するセグメント構成判別手段を備えた情報再生装置。
【００１４】
（４）  マーク長記録を用いて１つ以上のセグメントから構成された記録マークが列状に記録された光記録媒体に光を照射し、その反射光に基づいて上記記録マークを再生する情報再生装置であって、４分割光検出器の４つの光検出部によって上記反射光からそれぞれ光の強弱に応じた検出信号を検出する４分割検出手段と、その４分割検出手段によって検出された４つの検出信号を加算した和信号を検出する和信号検出手段と、その和信号検出手段によって検出された和信号に基づいて上記記録マークの長さを検出する記録マーク長検出手段と、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を上記和信号検出手段によって検出した和信号のｘ乗（但しｘ≧１）で除算した除算信号を検出する除算信号検出手段と、その除算信号検出手段によって検出した除算信号に設けた複数のサンプリング点でそれぞれ極性及び振幅値を検出する極性・振幅値検出手段と、上記極性・振幅値検出手段によって検出した各サンプリング点での極性及び振幅値に基づいて上記記録マーク内のセグメント構成を判別するセグメント構成判別手段を備えた情報再生装置。
【００１５】
（５）  上述の（１）〜（４）のいずれかの情報再生装置において、上記セグメント構成判別手段によるセグメント構成の判別を、上記マーク長検出手段による記録マークの長さの検出後に行うようにした情報再生装置。
【００１６】
【発明の実施の形態】
以下、この発明の実施形態を図面に基づいて具体的に説明する。
まず、この発明の実施形態の説明に先立ってこの発明の参考技術の原理とこの発明の原理を説明する。
この発明の参考技術の情報再生装置は、マーク長記録を用いて記録マークが１つ以上のセグメントから構成された、いわゆる多値記録（多値データ記録）された光記録媒体を再生するものであり、その多値記録された光記録媒体からの再生光を記録マーク列方向とそれと直交する方向に４分割された光検出部からなる４分割光検出器で検出する。
【００１７】
そして、４分割された全ての光検出部からの加算信号によってマークの長さを判別し、記録マークの列方向に対して一方に存在する２つの光検出部の加算信号と記録マークの列方向に対して他方に存在する２つの光検出部の加算信号との減算信号によって、あるいは、記録マークの列方向に対して一方に存在する２つの光検出部の加算信号と記録マークの列方向に対して他方に存在する２つの光検出部の加算信号との減算信号を４分割された全ての光検出部からの加算信号のｘ乗（但しｘ≧１）で除算した信号によって上記記録マーク内のセグメント構成状態を判別する。
【００１８】
したがって、従来の光記録媒体との再生互換性を有し、かつ多値記録が行えて情報記録の高密度化を図ることができる。
また、主データを記録マーク長の変調によって記録し、記録マーク内のセグメント構成状態の変調によって付加情報を記録することにより、従来の光記録媒体との再生互換性を有し、かつ多値記録が行えて情報記録の高密度化を図ることができる。
【００１９】
この発明及び参考技術の光記録媒体の情報再生装置の光学系部分は、従来から用いられているＣＤ系やＤＶＤ系光記録媒体の情報再生装置とほぼ同一のままでよい。
図６はこの発明及び参考技術の実施形態に適用する従来と共通する光学系部分の構成を示すブロック図である。
この情報再生装置の光学系部分は、レーザダイオード（ＬＤ）等の半導体レーザ光源１０から出射したレーザ光をコリメートレンズ１１で平行光に変換し、偏光ビームスプリッタ１２を通して１／４波長板１３へ入射する。
この１／４波長板１３に入射されたレーザ光は円偏光となり、対物レンズ１４を通して光記録媒体１５に照射される。
【００２０】
さらに、光記録媒体１５によって反射した光は逆回転の円偏光となり、対物レンズ１４を通って再び１／４波長板１３に入射する。
この１／４波長板１３に入射した光は円偏光から往路とは９０°偏光方向がずれた直線偏光となり、偏光ビームスプリッタ１２によって４分割光検出器１６へ導かれる。このようにして、光記録媒体１５の記録面上に記録された情報に応じた再生光を取得する。
【００２１】
この発明及び参考技術に係る情報再生装置に使用する光記録媒体１５は、長さ方向には従来のＣＤ系やＤＶＤ系光記録媒体と全く同様な記録マーク列を有する。
図３はプリグルーブを有さないＲＯＭ型光ディスク等の光記録媒体に記録された記録マーク列と４分割光検出器とを示した説明図、図４はプリグルーブを有する相変化材料，有機材料等からなる記録層を有する光記録媒体に記録された記録マーク列と４分割光検出器とを示した説明図である。
図３に示すように、プリグルーブを有さない光記録媒体の記録面上には記録マーク２０が列状に記録される。また、図４に示すように、プリグルーブを有する光記録媒体の記録面上には予めプリグルーブ２１とランド２２が形成されており、そのプリグルーブ２１上に記録マーク２０が列状に記録される。
【００２２】
図３及び図４に示した記録マーク列に照射したレーザ光の反射光である再生光は、上述した光学系によって４分割光検出器１６へ導かれる。そして、４分割光検出器１６の４つの光検出部１６ａ〜１６ｄはそれぞれ再生光（光記録媒体への照射光の反射光）からそれぞれ光の強弱に応じた検出信号ａ〜ｄを検出して出力する。
そして、全ての光検出部１６ａ〜１６ｄによってそれぞれ検出された検出信号ａ〜ｄを加算した和信号（＝ａ＋ｂ＋ｃ＋ｄ）を検出し、その和信号に基づいて記録マークの長さを判別する。これが通常の処理である。
【００２３】
一方、この発明及び参考技術の情報再生装置に使用する光記録媒体では、光記録媒体１５上にはマーク長記録を用いて１つ以上のセグメントから構成された記録マークが列状に記録されている。
図５は光記録媒体の記録面上に記録する１つ以上のセグメントから構成された記録マークの説明図である。
ここでは、記録マークを記録面の凹凸で形成させる場合の例を示す。
ここで言うセグメント３０とは、記録マークを構成する記録マーク構成要素のことを指し、光記録媒体の種類等によって記録マーク構成要素は未記録部に対して凹凸，反射率あるいは複素屈折率が変化する部分になる。
【００２４】
したがって、同図の（ｅ）に示すように、記録マークが２つの構成要素からなる場合とは、未記録部に対して凹凸，反射率あるいは複素屈折率が変化する部分、すなわちセグメント３０が未記録部分であるスペース部３１によって２つに分離されている状態を指す。
但し、このスペース部３１は、記録マーク中のセグメント３０を光学的に分離させるためのものであるから、完全な未記録状態でなくても構わない。
また、同様の理由によって、同図の（ｂ）〜（ｄ）に示すように、このスペース部３１の長さは限りなくゼロに近くても構わない。
【００２５】
この発明及び参考技術の情報再生装置の特徴は、２つ以上のセグメントから構成されている記録マークを再生した場合、その記録マークが１つのセグメントのみから構成されている場合（図５の（ａ）参照）とほぼ同等な和信号を発生させることができることにある。
すなわち、和信号を適切なスライスレベルで二値化してマーク長を判定する従来の情報再生処理において、２つ以上のセグメントから構成されている記録マークを再生した場合と、１つのセグメントのみから構成されている記録マークを再生した場合と、二値化されたマーク長あるいはスペース長がほぼ同等になるようにセグメント構成状態を変調させるのである。
このようにして、多値記録を行っているにもかかわらず、通常の多値記録を行っていない光記録媒体と同等な和信号が得られる。
【００２６】
上記セグメント構成状態の判別は、記録マークの列方向に対して一方に存在する２つの光検出部の加算信号と記録マークの列方向に対して他方に存在する２つの光検出部の加算信号との減算信号、あるいは記録マークの列方向に対して一方に存在する２つの光検出部の加算信号と記録マークの列方向に対して他方に存在する２つの光検出部の加算信号との減算信号を４分割光検出器の４分割された全ての光検出部からの加算信号のｘ乗（但しｘ≧１）で除算した信号によって行う。
【００２７】
すなわち、図３，図４に示すように、記録マークの列方向に対して一方に存在する２つの光検出部１６ａと１６ｄの検出信号ａとｄの加算信号（ａ＋ｄ）と記録マークの列方向に対して他方に存在する２つの光検出部１６ｂと１６ｃの検出信号ｂとｃの加算信号（ｂ＋ｃ）との減算信号（ａ＋ｄ）−（ｂ＋ｃ）あるいは（ｂ＋ｃ）−（ａ＋ｄ）（この減算信号を「タンジェンシャルプッシュプル信号」と称する）によってセグメント構成状態の判別を行う。
【００２８】
あるいは、記録マークの列方向に対して一方に存在する２つの光検出部１６ａと１６ｄの検出信号ａとｄの加算信号（ａ＋ｄ）と記録マークの列方向に対して他方に存在する２つの光検出部１６ｂと１６ｃの検出信号ｂとｃの加算信号（ｂ＋ｃ）との減算信号（ａ＋ｄ）−（ｂ＋ｃ）あるいは（ｂ＋ｃ）−（ａ＋ｄ）を４分割光検出器１６の４分割された全ての光検出部１６ａ〜１６ｄからの検出信号ａ〜ｄの加算信号（ａ＋ｂ＋ｃ＋ｄ）のｘ乗（但しｘ≧１）で除算した除算信号（（ａ＋ｄ）−（ｂ＋ｃ））／（（ａ＋ｂ＋ｃ＋ｄ）のｘ乗）あるいは（（ｂ＋ｃ）−（ａ＋ｄ））／（（ａ＋ｂ＋ｃ＋ｄ）のｘ乗）（タンジェンシャルプッシュプル信号を和信号のｘ乗（但しｘ≧１）で除算した信号）によって行う。
【００２９】
但し、この発明及び参考技術の情報再生装置では、まず初めに４分割光検出器１６の全ての光検出部１６ａ〜１６ｄの各検出信号ａ〜ｄを加算した和信号（＝ａ＋ｂ＋ｃ＋ｄ）によってその長さ（記録マークの長さ）を判別し、次いで上述のようにして記録マーク中のセグメント構成状態の判別を行う。
このようにして、多値データが記録された光情報媒体の再生時に記録マークの長さ方向と記録マーク中のセグメント構成状態の判別を確実に行うことができる。なお、記録マークの種別判定を上述とは逆にすると、正確な判定が行えない場合がある。
【００３０】
この発明の参考技術の情報再生装置では、上述したように、記録マークの列方向に対して一方に存在する２つの光検出部の加算信号と、記録マークの列方向に対して他方に存在する２つの光検出部の加算信号との減算信号（タンジェンシャルプッシュプル信号）を用いても十分に記録マーク中のセグメント構成状態の判定を行えるが、タンジェンシャルプッシュプル信号はその変化が微小である場合があり、また記録マークの幅や高さ，記録マーク中のセグメント構成状態などの違いによる変化をより大きくさせるために（すなわち検出感度を高めて記録マーク中のセグメント構成状態の判別信頼性をあげるために）、記録マークの列方向に対して一方に存在する２つの光検出部の加算信号と、記録マークの列方向に対して他方に存在する２つの光検出部の加算信号との減算信号を４分割された全ての光検出部からの加算信号のｘ乗（但しｘ≧１）で除算した信号（タンジェンシャルプッシュプル信号を和信号のｘ乗で除算した信号）を用いるとより好ましい。なお、上記累乗数ｘは整数に限られるものではなく、実数であれば何ら制限はない。
【００３１】
また、この発明の情報再生装置では、記録マークの列方向に対して一方に存在する２つの光検出部の加算信号と、記録マークの列方向に対して他方に存在する２つの光検出部の加算信号との減算信号（タンジェンシャルプッシュプル信号）、あるいは記録マークの列方向に対して一方に存在する２つの光検出部の加算信号と、記録マークの列方向に対して他方に存在する２つの光検出部の加算信号との減算信号を４分割された全ての光検出部からの加算信号のｘ乗（但しｘ≧１）で除算した信号（タンジェンシャルプッシュプル信号を和信号のｘ乗で除算した信号）による記録マーク中のセグメント構成状態の判定を、その判定信号の振幅値と極性によって行う。
これは、これらの信号の振幅値と極性が、記録マーク中のセグメント構成形態によって大きく変化するためである。
【００３２】
さらに、この発明及び参考技術の情報再生装置に使用する光記録媒体には、主データを記録マーク長の変調によって記録し、記録マーク中のセグメント構成形態によって付加情報を記録するようにするとよい。
その光記録媒体では、和信号では記録マーク中のセグメント構成状態が検出されないため（厳密に言えば、セグメント構成状態の違いが、和信号の二値化によるマーク長判定に影響を与えないと言える）、主データを記録マーク長の変調によって記録し、記録マーク中のセグメント構成状態によって付加情報を記録することにより、和信号のみによってマーク長（種別）を判断する従来のＣＤ系光ディスクやＤＶＤ系光ディスク等の光記録媒体を再生する情報再生装置でも、主データを問題なく再生することができるようになる。
【００３３】
一方、この発明及び参考技術の情報再生装置では、和信号によってマーク長を判断し、タンジェンシャルプッシュプル信号、あるいはタンジェンシャルプッシュプル信号を和信号のｘ乗で除算した信号によって、記録マークのセグメント構成状態を判断するので、上記光記録媒体に記録された主データに加えて付加情報を読み取ることが可能となる。
すなわち、従来の情報再生装置でも、従来のＣＤ系やＤＶＤ系光記録媒体とこの発明の情報再生装置に使用する光記録媒体の主データが再生可能になり、また、この発明の情報再生装置では、基本構成が従来のＣＤ系やＤＶＤ系光記録媒体用の情報再生装置と同一であるので、上記のような光記録媒体の全てのデータ（主データと付加情報）と従来のＣＤ系やＤＶＤ系光記録媒体が再生可能になる。
【００３４】
上記主データとは、上述のような光記録媒体を従来のＣＤ系光ディスクやＤＶＤ系光ディスクの情報再生装置で再生した場合、意味のあるデータであれば何ら制限がない（例えば画像の一部であっても構わない）。
また、記録マーク中のセグメント構成状態の違いとして記録された情報は、主データを補足する情報であっても、アドレス情報，サーボ情報，製造情報などであってもよく、さまざまな情報を記録することが可能である。
【００３５】
なお、上述の光記録媒体に記録された主情報（マーク長情報）を、従来のＣＤ系光ディスクやＤＶＤ系光ディスクの情報再生装置でも再生できるようにするためには、セグメント構成状態の変調によって和信号が大きく変化しないことが必要である。
したがって、セグメント構成状態の変調によって和信号が変化しないように、各セグメントの高さ（あるいは深さ）や幅を変えることが好ましい。
但し、従来のＣＤ系光ディスクやＤＶＤ系光ディスクの情報再生装置で再生しない場合はこの限りでなく、各セグメントの高さ（あるいは深さ）や幅の設定は任意で構わない。
【００３６】
さらに、この発明の参考技術の情報再生装置では、上述のようにタンジェンシャルプッシュプル信号あるはタンジェンシャルプッシュプル信号を和信号のｘ乗（但しｘ≧１）で除算した信号によって記録マーク中のセグメント構成状態を判定するが、４分割光検出器の各光検出部の個々の感度差等によってタンジェンシャルプッシュプル信号にオフセットが発生する恐れがある場合、タンジェンシャルプッシュプル信号あるはタンジェンシャルプッシュプル信号を和信号のｘ乗（但しｘ≧１）で除算した信号に代えて、タンジェンシャルプッシュプル信号をＡＣ結合した信号、あるいはタンジェンシャルプッシュプル信号をＡＣ結合した信号を和信号のｘ乗（但しｘ≧１）で除算した信号によって、記録マーク中のセグメント構成状態を判定するようにするとよい。
このようにして、記録マーク中のセグメント構成状態判定の信頼性を大幅に向上させることができる。
【００３７】
次に、この発明の参考技術とこの発明の実施形態を説明する。
図１は、この発明の参考技術の情報再生装置の光学系と信号処理系の構成を示すブロック図である。
図２は、この発明の一実施形態である情報再生装置の光学系と信号処理系の構成を示すブロック図である。
図１及び図２において図６と共通する部分には同一符号を付してその説明を省略する。
【００３８】
この情報再生装置は、光学系及び信号処理系を含めた部分が、マーク長記録を用いて１つ以上のセグメントから構成された記録マークが列状に記録された光記録媒体に光を照射し、その反射光に基づいて上記記録マークを再生する情報再生装置である。
また、４分割光検出器１６が、４つの光検出部によって上記反射光からそれぞれ光の強弱に応じた検出信号を検出する４分割検出手段に相当する。
【００３９】
（１）この発明の参考技術の情報再生装置の信号処理系
図１に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００４０】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を検出する減算信号検出手段の機能を果たす。
再生データ判断部６が、タンジェンシャルプッシュプル信号検出部５によって検出した減算信号に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００４１】
この情報再生装置は、和信号検出部１によって４分割光検出器１６の全ての光検出部１６ａ〜１６ｄで検出した各検出信号ａ〜ｄの和信号を検出し、その和信号を波形等化部（波形等化回路）２及び２値化部（２値化回路）３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号を検出する。
【００４２】
そして、再生データ判断部６によってタンジェンシャルプッシュプル信号検出部５で得られた減算信号に基づいて記録マーク中のセグメント構成状態を判断し、記録マーク種類の最終的判断（長さ方向とセグメント構成状態の種類判別）を行う。
【００４３】
（２）この発明の他の参考技術の情報再生装置の信号処理系
図１に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００４４】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を、上記和信号検出手段によって検出した和信号のｘ乗（但しｘ≧１）で除算した除算信号を検出する除算信号検出手段の機能を果たす。
【００４５】
再生データ判断部６が、タンジェンシャルプッシュプル信号検出部５によって検出した除算信号に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００４６】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号を、上記和信号検出部１２によって検出した和信号のｘ乗（但しｘ≧１）で除算した除算信号を検出する。
【００４７】
そして、再生データ判断部６によってタンジェンシャルプッシュプル信号検出部５で得られた除算信号に基づいて記録マーク中のセグメント構成状態を判断し、記録マーク種類の最終的判断（長さ方向とセグメント構成状態の種類判別）を行う。
【００４８】
（３）この発明のまた他の参考技術の情報再生装置の信号処理系
図１に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００４９】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を検出するＡＣ結合信号検出手段の機能を果たす。
【００５０】
再生データ判断部６が、タンジェンシャルプッシュプル信号検出部５によって検出したＡＣ結合信号に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００５１】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号のＡＣ結合信号を検出する。
【００５２】
そして、再生データ判断部６によってタンジェンシャルプッシュプル信号検出部５で得られたＡＣ結合信号に基づいて記録マーク中のセグメント構成状態を判断し、記録マーク種類の最終的判断（長さ方向とセグメント構成状態の種類判別）を行う。
【００５３】
（４）この発明のさらに他の参考技術の情報再生装置の信号処理系
図１に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００５４】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を上記和信号検出手段によって検出した和信号のｘ乗（但しｘ≧１）で除算した除算信号を検出する除算信号検出手段の機能を果たす。
【００５５】
再生データ判断部６が、タンジェンシャルプッシュプル信号検出部５によって検出した除算信号に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００５６】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号のＡＣ結合信号を検出し、和信号検出部１によって検出した和信号のｘ乗（但しｘ≧１）で除算した除算信号を検出する。
【００５７】
そして、再生データ判断部６によってタンジェンシャルプッシュプル信号検出部５で得られた除算信号に基づいて記録マーク中のセグメント構成状態を判断し、記録マーク種類の最終的判断（長さ方向とセグメント構成状態の種類判別）を行う。
【００５８】
（５）この発明の一実施形態である情報再生装置の信号処理系
図２に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００５９】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を検出する減算信号検出手段の機能を果たす。
極性・振幅検出部７が、タンジェンシャルプッシュプル信号検出部５によって検出した減算信号に設けた複数のサンプリング点でそれぞれ極性及び振幅値を検出する極性・振幅値検出手段の機能を果たす。
【００６０】
再生データ判断部６が、極性・振幅検出部７によって検出した各サンプリング点での極性及び振幅値に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００６１】
この情報再生装置は、和信号検出部１によって４分割光検出器１６の全ての光検出部１６ａ〜１６ｄで検出した各検出信号ａ〜ｄの和信号を検出し、その和信号を波形等化部（波形等化回路）２及び２値化部（２値化回路）３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号を検出する。
【００６２】
また、極性・振幅検出部７によってタンジェンシャルプッシュプル信号検出部５で検出された減算信号に設けた複数のサンプリング点でそれぞれ極性及び振幅値を検出する。
そして、再生データ判断部６によって極性・振幅検出部７で得られた各サンプリング点での極性及び振幅値に基づいて記録マーク中のセグメント構成状態を判断し、記録マーク種類の最終的判断（長さ方向とセグメント構成状態の種類判別）を行う。
【００６３】
（６）この発明の他の実施形態である情報再生装置の信号処理系
図２に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００６４】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号を、上記和信号検出手段によって検出した和信号のｘ乗（但しｘ≧１）で除算した除算信号を検出する除算信号検出手段の機能を果たす。
極性・振幅検出部７が、タンジェンシャルプッシュプル信号検出部５によって検出した除算信号に設けた複数のサンプリング点でそれぞれ極性及び振幅値を検出する極性・振幅値検出手段の機能を果たす。
【００６５】
再生データ判断部６が、極性・振幅検出部７によって検出した各サンプリング点での極性及び振幅値に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００６６】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号を、和信号検出部１２によって検出した和信号のｘ乗（但しｘ≧１）で除算した除算信号を検出する。
【００６７】
また、極性・振幅検出部７によってタンジェンシャルプッシュプル信号検出部５で検出された除算信号に設けた複数のサンプリング点でそれぞれ極性及び振幅値を検出する。
そして、再生データ判断部６によって極性・振幅検出部７で得られた各サンプリング点での極性及び振幅値に基づいて記録マーク中のセグメント構成状態を判断し、記録マーク種類の最終的判断（長さ方向とセグメント構成状態の種類判別）を行う。
【００６８】
（７）この発明のまた他の実施形態である情報再生装置の信号処理系
図２に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００６９】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を検出するＡＣ結合信号検出手段の機能を果たす。
極性・振幅検出部７が、タンジェンシャルプッシュプル信号検出部５によって検出したＡＣ結合信号に設けた複数のサンプリング点でそれぞれ極性及び振幅値を検出する極性・振幅値検出手段の機能を果たす。
【００７０】
再生データ判断部６が、極性・振幅検出部７によって検出した各サンプリング点での極性及び振幅値に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００７１】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号のＡＣ結合信号を検出する。
【００７２】
また、極性・振幅検出部７によってタンジェンシャルプッシュプル信号検出部５で検出されたＡＣ結合信号に設けた複数のサンプリング点でそれぞれ極性及び振幅値を検出する。
そして、再生データ判断部６によって極性・振幅検出部７で得られた各サンプリング点での極性及び振幅値に基づいて記録マーク中のセグメント構成状態を判断し、記録マーク種類の最終的判断（長さ方向とセグメント構成状態の種類判別）を行う。
【００７３】
（８）この発明のさらに他の実施形態である情報再生装置の信号処理系
図２に示す和信号検出部１が、４分割光検出器１６によって検出された４つの検出信号を加算した和信号を検出する和信号検出手段の機能を果たす。
波形等化部２は和信号検出部１によって検出された和信号の波形等化を行う。
２値化部３は、波形等化部２によって波形等化を施された和信号に２値化処理を施す。
マーク長検出部４が、和信号検出部１によって検出され、波形等化部２で波形等化を施し、２値化部３で２値化処理を施した和信号に基づいて上記記録マークの長さを検出する記録マーク長検出手段の機能を果たす。
【００７４】
タンジェンシャルプッシュプル信号検出部５が、上記４つの光検出部の内の上記記録マークの列方向に対して一方に存在する２つの光検出部によって検出した各検出信号の加算信号ともう一方に存在する２つの光検出部によって検出した各検出信号の加算信号との減算信号をＡＣ結合し、そのＡＣ結合信号を上記和信号検出手段によって検出した和信号のｘ乗（但しｘ≧１）で除算した除算信号を検出する除算信号検出手段の機能を果たす。
極性・振幅検出部７が、タンジェンシャルプッシュプル信号検出部５によって検出した除算信号に設けた複数のサンプリング点でそれぞれ極性及び振幅値を検出する極性・振幅値検出手段の機能を果たす。
【００７５】
再生データ判断部６が、極性・振幅検出部７によって検出した各サンプリング点での極性及び振幅値に基づいて上記記録マーク内のセグメント構成を判別するセグメント構成判別手段の機能を果たす。
また、上記再生データ判断部６によるセグメント構成の判別を、上記マーク長検出部４による記録マークの長さの検出後に行うようにするとよい。
【００７６】
この情報再生装置は、和信号検出部１によって４分割光検出器１６の全ての光検出部１６ａ〜１６ｄで検出した各検出信号ａ〜ｄの和信号を検出し、その和信号を波形等化部２及び２値化部３でそれぞれ波形等化と２値化処理を施してマーク長検出部４へ送り、マーク長検出部４によって記録マークのマーク長を判断する。
一方、タンジェンシャルプッシュプル信号検出部５によって４つの光検出部１６ａ〜１６ｄの内の記録マークの列方向に対して一方に存在する２つの光検出部１６ａと１６ｄによって検出した各検出信号ａとｄの加算信号ともう一方に存在する２つの光検出部１６ｂと１６ｃによって検出した各検出信号ｂとｃの加算信号との減算信号のＡＣ結合信号を検出し、そのＡＣ結合信号を和信号検出部１によって検出した和信号のｘ乗（但しｘ≧１）で除算した除算信号を検出する。
【００７７】
また、極性・振幅検出部７によってタンジェンシャルプッシュプル信号検出部５で検出された除算信号に設けた複数のサンプリング点でそれぞれ極性及び振幅値を検出する。
そして、再生データ判断部６によって極性・振幅検出部７で得られた各サンプリング点での極性及び振幅値に基づいて記録マーク中のセグメント構成状態を判断し、記録マーク種類の最終的判断（長さ方向とセグメント構成状態の種類判別）を行う。
【００７８】
この情報再生装置では、マーク長検出部４からの信号は、従来のＣＤ系光ディスクやＤＶＤ系光ディスクの情報再生装置のものと全く同一になる。
なお、この情報再生装置は、ＲＯＭ型光記録媒体だけでなく相変化材料や有機材料等からなる記録層を有する光記録媒体の再生も行うことができる。
その相変化材料や有機材料等からなる記録層を有する光記録媒体に記録した多値データを再生する場合、情報再生装置の記録パワーと記録ストラテジを制御することによって記録マーク長と記録マークの高さ（記録層内の記録層厚さ方向の記録領域の大きさに対応）、あるいは記録マーク幅に情報を持たせることが可能である。
【００７９】
次に、この実施形態の情報再生装置におけるマーク長記録を用いて１つ以上のセグメントから構成された記録マークが列状に記録された光記録媒体の再生についてさらに説明する。ここでは、具体的な数値に基づく計算結果に基づいて確認した結果について述べる。
この計算結果によって、再生ＲＦ（ＨＦ）信号波形、あるいは変調度（和信号における記録コントラスト）はほとんど同じであるにもかかわらず、すなわち、あるスライスレベルでの二値化によって記録されたマーク長が略同一と判定されるにもかかわらず光記録媒体上に複数の情報が記録できることも確認することができた。
【００８０】
その計算条件は、入射光はガウス分布であり、振幅値がｅ−１になる半径を６０００λ，半径３０００λの円形開口を有するものと仮定し、対物レンズＮＡは０．６を仮定した。
また、光記録媒体はプレグルーブのないＲＯＭ型光記録媒体とし、基板の屈折率は１．５８であり、フラット面での反射率は９０％と仮定した。
図７は、記録マークと光スポットとの説明図である。
【００８１】
図７の（ａ）には、記録マーク２０の全体の長さが２．０λ（λ：再生波長）であり、その記録マーク２０が１つのセグメントのみから構成されている例を示しており、この図７の（ａ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００８２】
図８乃至図１４は、図７の（ａ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図８は記録マーク２０の高さが０．１０λの場合を、図９は記録マーク２０の高さが０．１５λの場合を、図１０は記録マークの高さが０．２０λの場合を、図１１は記録マークの高さが０．２５λの場合を、図１２は記録マークの高さが０．３０λの場合を、図１３は記録マークの高さが０．３５λの場合を、図１４は記録マークの高さが０．４０λの場合をそれぞれ示す波形図である。
【００８３】
すなわち、記録マーク２０が１つのセグメントのみから構成され、マーク長が２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図８乃至図１４にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
なお、図８乃至図１４の各図の横軸は再生波長を０．６５０ｕｍとした場合の移動量を示しており、後述する図１５乃至４９についても同様である。
【００８４】
次に、図７の（ｂ）には、記録マーク２０の全体の長さが２．０λ（λ：再生波長）であり、その記録マーク２０が長さ１．０λと長さ１．０λの２つのセグメントから構成されている例を示しており、この図７の（ｂ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００８５】
図１５乃至図２１は、図７の（ｂ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図１５は記録マーク２０の高さが０．１０λの場合を、図１６は記録マーク２０の高さが０．１５λの場合を、図１７は記録マーク２０の高さが０．２０λの場合を、図１８は記録マーク２０の高さが０．２５λの場合を、図１９は記録マーク２０の高さが０．３０λの場合を、図２０は記録マーク２０の高さが０．３５λの場合を、図２１は記録マーク２０の高さが０．４０λの場合をそれぞれ示す波形図である。
【００８６】
すなわち、記録マーク２０が長さ１．０λと長さ１．０λの２つのセグメントから構成され、マーク全体の長さが２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図１５乃至図２１にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
【００８７】
次に、図７の（ｃ）には、記録マーク２０の全体の長さが２．０λ（λ：再生波長）であり、その記録マーク２０が長さ０．９λと長さ１．１λの２つのセグメントから構成されている例を示しており、この図７の（ｃ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００８８】
図２２乃至図２８は、図７の（ｃ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図２２は記録マーク２０の高さが０．１０λの場合を、図２３は記録マーク２０の高さが０．１５λの場合を、図２４は記録マーク２０の高さが０．２０λの場合を、図２５は記録マーク２０の高さが０．２５λの場合を、図２６は記録マーク２０の高さが０．３０λの場合を、図２７は記録マーク２０の高さが０．３５λの場合を、図２８は記録マーク２０の高さが０．４０λの場合をそれぞれ示す波形図である。
【００８９】
すなわち、記録マーク２０が長さ０．９λと長さ１．１λの２つのセグメントから構成され、マーク全体の長さが２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図２２乃至図２８にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
【００９０】
次に、図７の（ｄ）には、記録マーク２０の全体の長さが２．０λ（λ：再生波長）であり、その記録マーク２０が長さ０．８λと長さ１．２λの２つのセグメントから構成されている例を示しており、この図７の（ｄ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００９１】
図２９乃至図３５は、図７の（ｄ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図２９は記録マーク２０の高さが０．１０λの場合を、図３０は記録マーク２０の高さが０．１５λの場合を、図３１は記録マーク２０の高さが０．２０λの場合を、図３２は記録マーク２０の高さが０．２５λの場合を、図３３は記録マーク２０の高さが０．３０λの場合を、図３４は記録マーク２０の高さが０．３５λの場合を、図３５は記録マーク２０の高さが０．４０λの場合をそれぞれ示す波形図である。
【００９２】
すなわち、記録マーク２０が長さ０．８λと長さ１．２λの２つのセグメントから構成され、マーク全体の長さが２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図２９乃至図３５にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
【００９３】
次に、図７の（ｅ）には、記録マーク２０の全体の長さが２．０λ（λ：再生波長）であり、その記録マーク２０が長さ０．６λと長さ１．４λの２つのセグメントから構成されている例を示しており、この図７の（ｅ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００９４】
図３６乃至図４２は、図７の（ｅ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図３６は記録マーク２０の高さが０．１０λの場合を、図３７は記録マーク２０の高さが０．１５λの場合を、図３８は記録マーク２０の高さが０．２０λの場合を、図３９は記録マーク２０の高さが０．２５λの場合を、図４０は記録マーク２０の高さが０．３０λの場合を、図４１は記録マーク２０の高さが０．３５λの場合を、図４２は記録マーク２０の高さが０．４０λの場合をそれぞれ示す波形図である。
【００９５】
すなわち、記録マーク２０が長さ０．６λと長さ１．４λの２つのセグメントから構成され、マーク全体の長さが２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図３６乃至図４２にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
【００９６】
次に、図７の（ｆ）には、記録マーク２０の全体の長さが２．０λ（λ：再生波長）であり、その記録マーク２０が長さ０．９λと長さ０．９λの２つのセグメントから構成され、その長さ０．９λと長さ０．９λの２つのセグメント間には長さ０．２λのスペースが存在する場合の例を示しており、この図７の（ｆ）に示した記録マーク２０を再生したときの主要な信号を求めた。
すなわち、和信号（４分割光検出器１６からの各検出信号の加算信号：ａ＋ｂ＋ｃ＋ｄ）と、タンジェンシャルプッシュプル信号（４分割光検出器の記録マークの列方向に対して水平方向に隣接する２つの光検出部によって検出した各検出信号の加算信号と残りの隣接する２つの光検出部によって検出した各検出信号の加算信号との減算信号（ａ＋ｄ）−（ｂ＋ｃ））と、そのタンジェンシャルプッシュプル信号を和信号で除算した除算信号（ｘ＝１の場合）を計算で求めた。
【００９７】
図４３乃至図４９は、図７の（ｆ）に示した記録マークを再生したときの和信号（Ｓｕｍ）とタンジェンシャルプッシュプル信号（Ｔｐｐ）とタンジェンシャルプッシュプル信号を和信号で除算した除算信号（Ｔｐｐ／Ｓｕｍ）の変化を示す波形図である。
図４３は記録マーク２０の高さが０．１０λの場合を、図４４は記録マーク２０の高さが０．１５λの場合を、図４５は記録マーク２０の高さが０．２０λの場合を、図４６は記録マーク２０の高さが０．２５λの場合を、図４７は記録マーク２０の高さが０．３０λの場合を、図４８は記録マーク２０の高さが０．３５λの場合を、図４９は記録マーク２０の高さが０．４０λの場合をそれぞれ示す波形図である。
【００９８】
すなわち、記録マーク２０が長さ０．９λと長さ０．９λの２つのセグメントから構成され、マーク全体の長さが２．０λ（λ：再生波長）の場合、記録マーク２０の高さを０．１０λ〜０．４０λ（０．０５λきざみ）とした時、再生ビーム２３が記録マーク２０を通過した場合の各信号の変化を計算した結果として、図４３乃至図４９にそれぞれ示した和信号（Ｓｕｍ＝ａ＋ｂ＋ｃ＋ｄ）とタンジェンシャルプッシュプル信号（Ｔｐｐ＝（ａ＋ｄ）−（ｂ＋ｃ））と、タンジェンシャルプッシュプル信号を和信号で除算した除算信号（Ｔｐｐ／Ｓｕｍ，ｘ＝１の場合）の計算結果が得られた。
【００９９】
以上の計算結果から、例えば、記録マーク２０の全体の長さが２．０λであり、その記録マーク２０が１つのセグメントのみから構成され、その記録マーク２０の高さを０．２５λとした場合（図１１参照）、また記録マーク２０の全体の長さが２．０λであり、その記録マーク２０が長さ１．０λと長さ１．０λの２つのセグメントから構成され、その記録マーク２０の高さが０．２０λの場合（図１７参照）、また記録マーク２０の全体の長さが２．０λであり、その記録マーク２０が長さ０．９λと長さ１．１λの２つのセグメントから構成され、その記録マーク２０の高さが０．２０λの場合（図２４参照）、和信号（＝Ｓｕｍ）をスライスレベルによって２値化してマーク長を判断する従来の情報再生装置の再生では、略同一のマーク長と判断することができる。このほぼ同一とは、おおよそ、未記録部の和信号のレベルと和信号の最小値との中間レベルにスライスレベルが設定されるから、このスライスレベルよりも和信号が低下する幅（長さ又は時間）が略同一であるという意味である。
【０１００】
また、記録マーク２０の全体の長さが２．０λであり、その記録マーク２０が長さ０．８λと長さ１．２λの２つのセグメントから構成され、その記録マーク２０の高さが０．２０λの場合（図３１参照）、記録マーク２０の全体の長さが２．０λであり、その記録マーク２０が長さ０．６λと長さ１．４λの２つのセグメントから構成され、その記録マーク２０の高さが０．２５λの場合（図３９参照）、また記録マーク２０の全体の長さが２．０λであり、その記録マーク２０が長さ０．９λと長さ０．９λの２つのセグメントから構成され（長さ０．９λと長さ０．９λの２つのセグメント間には長さ０．２λのスペース部が存在する）、その記録マーク２０の高さが０．２０λの場合（図４５参照）についても上述と同じく、従来の情報再生装置の再生では、略同一のマーク長と判断することができる。
【０１０１】
すなわち、和信号のみによる再生ではセグメント配置を異ならせた多値記録でありながら、従来のＣＤ系光ディスクやＤＶＤ系光ディスクと全く同じ再生信号に見えることがわかる。
しかし、和信号では同一視されるこれらの記録マークは、タンジェンシャルプッシュプル信号（＝Ｔｐｐ），あるいはタンジェンシャルプッシュプル信号（＝Ｔｐｐ）を和信号で除算した信号（＝Ｔｐｐ／Ｓｕｍ）では大きな違いが現れている。
【０１０２】
そこで、いくつかのサンプリング点を設け、そのサンプリング点での振幅と極性を調べれば、記録マーク内のセグメント配置状態が識別できることが明らかである。
したがって、光記録媒体に長さ方向には主データを記録するなどの長さ方向のみの情報でも意味のある情報を記録しておけば、従来のＣＤ系光ディスクやＤＶＤ系光ディスクの情報再生装置でも再生できることがわかる。
【０１０３】
以上、この発明の実施形態の一例を示したが、この発明は記録マーク中のセグメント数を２つに限定するものではない。
また、図８乃至図４９に示したように、記録マークの高さ判定には、タンジェンシャルプッシュプル信号，あるいはタンジェンシャルプッシュプル信号を和信号で除算した信号を用いることができるが、そのタンジェンシャルプッシュプル信号はその変化が微小である場合があるので、検出感度を高めるためにタンジェンシャルプッシュプル信号を和信号で除算した信号を用いることが好ましい。
【０１０４】
この発明の実施形態の情報再生装置は１つの記録マークに多値情報を与えることによって高密度化が図れる新規な光記録媒体を再生することができる。
また、その光記録媒体によって多値記録された光記録媒体でありながら、従来から使用されているＣＤ系光ディスクやＤＶＤ系光ディスクの情報再生装置でも再生することが可能になる。
さらに、従来方法と全く同様な再生光学系を有するので、多値記録された光記録媒体を再生することができると共に、従来から使用されているＣＤ系光ディスクやＤＶＤ系光ディスクをも再生することが可能になる。
【０１０５】
【発明の効果】
以上説明してきたように、この発明の情報再生装置によれば、従来から使用されているＣＤ系光ディスクやＤＶＤ系光ディスク等の光記録媒体と１つの記録マークに多値情報を与えることによって高密度化が図れる新規な光記録媒体の双方の情報を再生することができる。
【図面の簡単な説明】
【図１】  この発明の参考技術の情報再生装置の光学系と信号処理系の構成を示すブロック図である。
【図２】  この発明の一実施形態である情報再生装置の光学系と信号処理系の構成を示すブロック図である。
【図３】  プリグルーブを有さないＲＯＭ型光ディスク等の光記録媒体に記録された記録マーク列と４分割光検出器とを示した説明図である。
【図４】  プリグルーブを有する相変化材料，有機材料等からなる記録層を有する光記録媒体に記録された記録マーク列と４分割光検出器とを示した説明図である。
【図５】  光記録媒体の記録面上に記録する１つ以上のセグメントから構成された記録マークの説明図である。
【図６】  図６はこの発明の参考技術とこの発明の実施形態に適用する従来と共通する光学系部分の構成を示すブロック図である。
【図７】  記録マークと光スポットとの説明図である。
【図８】  １つのセグメントから構成され、マーク長２．０λ，マーク高さ０．１０λの記録マークを再生したときのＳｕｍとＴｐｐとＴｐｐ／Ｓｕｍの変化を示す波形図である。
【図９】  １つのセグメントから構成され、マーク長２．０λ，マーク高さ０．１５λの記録マークを再生したときのＳｕｍとＴｐｐとＴｐｐ／Ｓｕｍの変化を示す波形図である。
【図１０】  １つのセグメントから構成され、マーク長２．０λ，マーク高さ０．２０λの記録マークを再生したときのＳｕｍとＴｐｐとＴｐｐ／Ｓｕｍの変化を示す波形図である。
【図１１】  １つのセグメントから構成され、マーク長２．０λ，マーク高さ０．２５λの記録マークを再生したときのＳｕｍとＴｐｐとＴｐｐ／Ｓｕｍの変化を示す波形図である。
【図１２】  １つのセグメントから構成され、マーク長２．０λ，マーク高さ０．３０λの記録マークを再生したときのＳｕｍとＴｐｐとＴｐｐ／Ｓｕｍの変化を示す波形図である。
【図１３】  １つのセグメントから構成され、マーク長２．０λ，マーク高さ０．３５λの記録マークを再生したときのＳｕｍとＴｐｐとＴｐｐ／Ｓｕｍの変化を示す波形図である。
【図１４】  １つのセグメントから構成され、マーク長２．０λ，マーク高さ０．４０λの記録マークを再生したときのＳｕｍとＴｐｐとＴｐｐ／Ｓｕｍの変化を示す波形図である。
【図１５】  長さ１．０λの２つのセグメントから構成され、マーク長２．０λ，マーク高さ０．１０λの記録マークを再生したときのＳｕｍとＴｐｐとＴｐｐ／Ｓｕｍの変化を示す波形図である。
【図１６】  長さ１．０λの２つのセグメントから構成され、マーク長２．０λ，マーク高さ０．１５λの記録マークを再生したときのＳｕｍとＴｐｐとＴｐｐ／Ｓｕｍの変化を示す波形図である。
【図１７】  長さ１．０λの２つのセグメントから構成され、マーク長２．０λ，マーク高さ０．２０λの記録マークを再生したときのＳｕｍとＴｐｐとＴｐｐ／Ｓｕｍの変化を示す波形図である。
【図１８】  長さ１．０λの２つのセグメントから構成され、マーク長２．０λ，マーク高さ０．２５λの記録マークを再生したときのＳｕｍとＴｐｐとＴｐｐ／Ｓｕｍの変化を示す波形図である。
【図１９】  長さ１．０λの２つのセグメントから構成され、マーク長２．０λ，マーク高さ０．３０λの記録マークを再生したときのＳｕｍとＴｐｐとＴｐｐ／Ｓｕｍの変化を示す波形図である。
【図２０】  長さ１．０λの２つのセグメントから構成され、マーク長２．０λ，マーク高さ０．３５λの記録マークを再生したときのＳｕｍとＴｐｐとＴｐｐ／Ｓｕｍの変化を示す波形図である。
【図２１】  長さ１．０λの２つのセグメントから構成され、マーク長２．０λ，マーク高さ０．４０λの記録マークを再生したときのＳｕｍとＴｐｐとＴｐｐ／Ｓｕｍの変化を示す波形図である。
【図２２】  長さ０．９λと１．１λの２つのセグメントから構成され、マーク長２．０λ，マーク高さ０．１０λの記録マークを再生したときのＳｕｍとＴｐｐとＴｐｐ／Ｓｕｍの変化を示す波形図である。
【図２３】  長さ０．９λと１．１λの２つのセグメントから構成され、マーク長２．０λ，マーク高さ０．１５λの記録マークを再生したときのＳｕｍとＴｐｐとＴｐｐ／Ｓｕｍの変化を示す波形図である。
【図２４】  長さ０．９λと１．１λの２つのセグメントから構成され、マーク長２．０λ，マーク高さ０．２０λの記録マークを再生したときのＳｕｍとＴｐｐとＴｐｐ／Ｓｕｍの変化を示す波形図である。
【図２５】  長さ０．９λと１．１λの２つのセグメントから構成され、マーク長２．０λ，マーク高さ０．２５λの記録マークを再生したときのＳｕｍとＴｐｐとＴｐｐ／Ｓｕｍの変化を示す波形図である。
【図２６】  長さ０．９λと１．１λの２つのセグメントから構成され、マーク長２．０λ，マーク高さ０．３０λの記録マークを再生したときのＳｕｍとＴｐｐとＴｐｐ／Ｓｕｍの変化を示す波形図である。
【図２７】  長さ０．９λと１．１λの２つのセグメントから構成され、マーク長２．０λ，マーク高さ０．３５λの記録マークを再生したときのＳｕｍとＴｐｐとＴｐｐ／Ｓｕｍの変化を示す波形図である。
【図２８】  長さ０．９λと１．１λの２つのセグメントから構成され、マーク長２．０λ，マーク高さ０．４０λの記録マークを再生したときのＳｕｍとＴｐｐとＴｐｐ／Ｓｕｍの変化を示す波形図である。
【図２９】  長さ０．８λと１．２λの２つのセグメントから構成され、マーク長２．０λ，マーク高さ０．１０λの記録マークを再生したときのＳｕｍとＴｐｐとＴｐｐ／Ｓｕｍの変化を示す波形図である。
【図３０】  長さ０．８λと１．２λの２つのセグメントから構成され、マーク長２．０λ，マーク高さ０．１５λの記録マークを再生したときのＳｕｍとＴｐｐとＴｐｐ／Ｓｕｍの変化を示す波形図である。
【図３１】  長さ０．８λと１．２λの２つのセグメントから構成され、マーク長２．０λ，マーク高さ０．２０λの記録マークを再生したときのＳｕｍとＴｐｐとＴｐｐ／Ｓｕｍの変化を示す波形図である。
【図３２】  長さ０．８λと１．２λの２つのセグメントから構成され、マーク長２．０λ，マーク高さ０．２５λの記録マークを再生したときのＳｕｍとＴｐｐとＴｐｐ／Ｓｕｍの変化を示す波形図である。
【図３３】  長さ０．８λと１．２λの２つのセグメントから構成され、マーク長２．０λ，マーク高さ０．３０λの記録マークを再生したときのＳｕｍとＴｐｐとＴｐｐ／Ｓｕｍの変化を示す波形図である。
【図３４】  長さ０．８λと１．２λの２つのセグメントから構成され、マーク長２．０λ，マーク高さ０．３５λの記録マークを再生したときのＳｕｍとＴｐｐとＴｐｐ／Ｓｕｍの変化を示す波形図である。
【図３５】  長さ０．８λと１．２λの２つのセグメントから構成され、マーク長２．０λ，マーク高さ０．４０λの記録マークを再生したときのＳｕｍとＴｐｐとＴｐｐ／Ｓｕｍの変化を示す波形図である。
【図３６】  長さ０．６λと１．４λの２つのセグメントから構成され、マーク長２．０λ，マーク高さ０．１０λの記録マークを再生したときのＳｕｍとＴｐｐとＴｐｐ／Ｓｕｍの変化を示す波形図である。
【図３７】  長さ０．６λと１．４λの２つのセグメントから構成され、マーク長２．０λ，マーク高さ０．１５λの記録マークを再生したときのＳｕｍとＴｐｐとＴｐｐ／Ｓｕｍの変化を示す波形図である。
【図３８】  長さ０．６λと１．４λの２つのセグメントから構成され、マーク長２．０λ，マーク高さ０．２０λの記録マークを再生したときのＳｕｍとＴｐｐとＴｐｐ／Ｓｕｍの変化を示す波形図である。
【図３９】  長さ０．６λと１．４λの２つのセグメントから構成され、マーク長２．０λ，マーク高さ０．２５λの記録マークを再生したときのＳｕｍとＴｐｐとＴｐｐ／Ｓｕｍの変化を示す波形図である。
【図４０】  長さ０．６λと１．４λの２つのセグメントから構成され、マーク長２．０λ，マーク高さ０．３０λの記録マークを再生したときのＳｕｍとＴｐｐとＴｐｐ／Ｓｕｍの変化を示す波形図である。
【図４１】  長さ０．６λと１．４λの２つのセグメントから構成され、マーク長２．０λ，マーク高さ０．３５λの記録マークを再生したときのＳｕｍとＴｐｐとＴｐｐ／Ｓｕｍの変化を示す波形図である。
【図４２】  長さ０．６λと１．４λの２つのセグメントから構成され、マーク長２．０λ，マーク高さ０．４０λの記録マークを再生したときのＳｕｍとＴｐｐとＴｐｐ／Ｓｕｍの変化を示す波形図である。
【図４３】  長さ０．９λの２つのセグメントから構成され、そのセグメント間に０．２λのスペース部を有し、マーク長２．０λ，マーク高さ０．１０λの記録マークを再生したときのＳｕｍとＴｐｐとＴｐｐ／Ｓｕｍの変化を示す波形図である。
【図４４】  長さ０．９λの２つのセグメントから構成され、そのセグメント間に０．２λのスペース部を有し、マーク長２．０λ，マーク高さ０．１５λの記録マークを再生したときのＳｕｍとＴｐｐとＴｐｐ／Ｓｕｍの変化を示す波形図である。
【図４５】  長さ０．９λの２つのセグメントから構成され、そのセグメント間に０．２λのスペース部を有し、マーク長２．０λ，マーク高さ０．２０λの記録マークを再生したときのＳｕｍとＴｐｐとＴｐｐ／Ｓｕｍの変化を示す波形図である。
【図４６】  長さ０．９λの２つのセグメントから構成され、そのセグメント間に０．２λのスペース部を有し、マーク長２．０λ，マーク高さ０．２５λの記録マークを再生したときのＳｕｍとＴｐｐとＴｐｐ／Ｓｕｍの変化を示す波形図である。
【図４７】  長さ０．９λの２つのセグメントから構成され、そのセグメント間に０．２λのスペース部を有し、マーク長２．０λ，マーク高さ０．３０λの記録マークを再生したときのＳｕｍとＴｐｐとＴｐｐ／Ｓｕｍの変化を示す波形図である。
【図４８】  長さ０．９λの２つのセグメントから構成され、そのセグメント間に０．２λのスペース部を有し、マーク長２．０λ，マーク高さ０．３５λの記録マークを再生したときのＳｕｍとＴｐｐとＴｐｐ／Ｓｕｍの変化を示す波形図である。
【図４９】  長さ０．９λの２つのセグメントから構成され、そのセグメント間に０．２λのスペース部を有し、マーク長２．０λ，マーク高さ０．４０λの記録マークを再生したときのＳｕｍとＴｐｐとＴｐｐ／Ｓｕｍの変化を示す波形図である。
【符号の説明】
１：和信号検出部  ２：波形等化部
３：２値化部                ４：マーク長検出部
５：タンジェンシャルプッシュプル信号検出部
６：再生データ判断部        ７：極性・振幅検出部
１０：半導体レーザ光源      １１：コリメートレンズ
１２：偏光ビームスプリッタ  １３：１／４波長板
１４：対物レンズ            １５：光記録媒体
１６：４分割光検出器        １６ａ〜１６ｄ：光検出部
２０：記録マーク            ２１：プリグルーブ（基板）
２２：ランド（基板）        ２３：再生ビーム
３０：セグメント            ３１：スペース部
【図１】
0003974791.tif 000002
【図２】
0003974791.tif 000003
【図３】
0003974791.tif 000004
【図４】
0003974791.tif 000005
【図５】
0003974791.tif 000006
【図６】
0003974791.tif 000007
【図７】
0003974791.tif 000008
【図８】
0003974791.tif 000009
【図９】
0003974791.tif 000010
【図１０】
0003974791.tif 000011
【図１１】
0003974791.tif 000012
【図１２】
0003974791.tif 000013
【図１３】
0003974791.tif 000014
【図１４】
0003974791.tif 000015
【図１５】
0003974791.tif 000016
【図１６】
0003974791.tif 000017
【図１７】
0003974791.tif 000018
【図１８】
0003974791.tif 000019
【図１９】
0003974791.tif 000020
【図２０】
0003974791.tif 000021
【図２１】
0003974791.tif 000022
【図２２】
0003974791.tif 000023
【図２３】
0003974791.tif 000024
【図２４】
0003974791.tif 000025
【図２５】
0003974791.tif 000026
【図２６】
0003974791.tif 000027
【図２７】
0003974791.tif 000028
【図２８】
0003974791.tif 000029
【図２９】
0003974791.tif 000030
【図３０】
0003974791.tif 000031
【図３１】
0003974791.tif 000032
【図３２】
0003974791.tif 000033
【図３３】
0003974791.tif 000034
【図３４】
0003974791.tif 000035
【図３５】
0003974791.tif 000036
【図３６】
0003974791.tif 000037
【図３７】
0003974791.tif 000038
【図３８】
0003974791.tif 000039
【図３９】
0003974791.tif 000040
【図４０】
0003974791.tif 000041
【図４１】
0003974791.tif 000042
【図４２】
0003974791.tif 000043
【図４３】
0003974791.tif 000044
【図４４】
0003974791.tif 000045
【図４５】
0003974791.tif 000046
【図４６】
0003974791.tif 000047
【図４７】
0003974791.tif 000048
【図４８】
0003974791.tif 000049
【図４９】
0003974791.tif 000050